(57)【要約】      （修正有）【課題】簡易な構造で、屋根への着脱が容易で、降雪期間以外の期間には、簡易に収納可能な除雪シートを用いた除雪装置を提供する。【解決手段】屋根用除雪装置は、建物の勾配屋根４５上に敷設する第１勾配屋根除雪シート１０と、第１勾配屋根除雪シート１０と並列に敷設する第２勾配屋根除雪シート２０とからなる勾配屋根除雪シートと、勾配屋根４５の対設するけらば部６５の下部それぞれに、第１勾配屋根除雪シート１０及び第２勾配屋根除雪シート２０を巻き取りロールにより巻き取り収納する収納部８０と、巻き取りロールを回転させて勾配屋根除雪シートを巻き取るための駆動手段とを備え、第１勾配屋根除雪シート１０と第２勾配屋根除雪シート２０とは、ファスナーにより着脱自在に接続されている。勾配屋根４５の上部に形成された棟部４１に敷設する棟部用除雪シート５０を更に備えた。【選択図】図１
0003166370.tif 000002
【実用新案登録請求の範囲】
【請求項１】
勾配屋根を有する建物の該勾配屋根上に、該勾配屋根の上部から軒先部に向かって敷設する第１勾配屋根除雪シートと、該第１勾配屋根除雪シートと並列に該勾配屋根の該上部から該軒先部に向かって敷設する第２勾配屋根除雪シートと、からなる勾配屋根除雪シートと、
前記勾配屋根の対設するけらば部の下部それぞれに、前記第１勾配屋根除雪シート及び前記第２勾配屋根除雪シートを巻き取りロールにより巻き取り収納する収納部と、
前記巻き取りロールを回転させて前記勾配屋根除雪シートを巻き取るための駆動手段と、を備え、
前記第１勾配屋根除雪シートと前記第２勾配屋根除雪シートとは、ファスナーにより着脱自在に接続されていることを特徴とする屋根用除雪装置。
【請求項２】
前記駆動手段はモータで駆動するものである請求項１に記載の屋根用除雪装置。
【請求項３】
前記勾配屋根除雪シートの収納時において、前記けらば部の端縁部に該勾配屋根除雪シートの一端を係止する係止手段を更に備える請求項１又は２に記載の屋根用除雪装置。
【請求項４】
前記勾配屋根除雪シートが、前記第１勾配屋根除雪シートと前記第２勾配屋根除雪シートの間に、更に第３勾配屋根除雪シートを備え、該第３勾配屋根除雪シートの一端側と該第１勾配屋根除雪シート、及び該第３勾配屋根除雪シートの他端側と該第２勾配屋根除雪シートとは、前記ファスナーにより着脱自在に接続されている請求項１乃至３のうちのいずれか１項に記載の屋根用除雪装置。
【請求項５】
前記第３勾配屋根除雪シートは、前記勾配屋根の前記上部から前記軒先部に向かって敷設された複数枚からなり、該第３勾配屋根除雪シート同士が前記ファスナーにより着脱自在に接続されている請求項４に記載の屋根用除雪装置。
【請求項６】
前記勾配屋根の上部に形成された棟部に敷設する棟部用除雪シートを更に備え、且つ、該棟部用除雪シートの両側端側各々に、前記勾配屋根除雪シートを備え、該棟部用除雪シートの該両側端側と前記勾配屋根除雪シートの上端側とは、それぞれ前記ファスナーにより着脱自在に接続されている請求項１乃至５のうちのいずれか１項に記載の屋根用除雪装置。
【請求項７】
前記棟部用除雪シートの両側端各々に、前記勾配屋根除雪シートと接続する前記ファスナーを被覆する被覆片を更に備えた請求項６に記載の屋根用除雪装置。
【請求項８】
前記ファスナーで接続される隣接した勾配屋根除雪シート同士のうちのいずれか一方に、該ファスナーを被覆する被覆片を更に備えた請求項１乃至７のうちのいずれか１項に記載の屋根用除雪装置。
【請求項９】
前記被覆片の先端内面は、前記勾配屋根除雪シートの上面と、前記ファスナーを跨いで面ファスナーにより固定される請求項７又は８に記載の屋根用除雪装置。
【考案の詳細な説明】
【技術分野】
【０００１】
本考案は屋根用除雪装置に関し、更に詳しくは、屋根への着脱が容易で、不使用時にはけらば部の下側に収納可能な除雪シートを用いた除雪装置に関する。
【背景技術】
【０００２】
積雪の多い地域では、建物の屋根に耐久量を越える雪が積もる場合がある。この様な状況の下、作業者が屋根上に登り、スコップなどの除雪具を用いて雪下ろしを行なうことが行なわれている。この雪下ろし作業は、重労働であることに加え、積雪は滑りやすいため、落下事故のおそれがある。
ここで、屋根用除雪装置が提案されている（例えば、特許文献１参照。）。この屋根用除雪装置は、勾配屋根の棟部から軒先部に至る平行な案内レールを勾配屋根に固着し、除雪シートの適所に取着した各移動駒を対応する各案内レールに、除雪シートが上下動操作可能に組み込まれている。そして、降雪期間には除雪シートを勾配屋根全体に敷設しておき、降雪期間以外の期間では、屋根上部に設けた収納部に除雪シートを収納する構造となっている。
この屋根用除雪装置によれば、降雪期には、各案内レールに沿って各移動駒を降下移動させ、屋根上の略全体に除雪シートを敷設し、除雪シート上に降り積もろうとする雪を自動的に滑落させて除去することができるため、雪下ろし作業をしないで降雪期を終えることができる。
そして、降雪期間が終わると、当該除雪シートを、各移動駒と共に各案内レールに沿って上昇移動して折り畳みながら上昇させて収納部内まで誘導し、次の降雪期まで保管することができる。
【先行技術文献】
【特許文献】
【０００３】
【特許文献１】特開２００８−２９７８５０号公報
【考案の概要】
【考案が解決しようとする課題】
【０００４】
しかし、特許文献１に記載の屋根用除雪装置は、勾配屋根に案内レールを固着する必要があり、除雪シートの適所に各移動駒をしなければならず、構造が複雑である。
【０００５】
本考案は、前記の問題を解決するものであり、簡易な構造により、屋根への着脱が容易で、降雪期間以外の期間には、簡易に収納可能な除雪シートを用いた除雪装置を提供することを目的とする。
【課題を解決するための手段】
【０００６】
本考案は以下の通りである。
１．勾配屋根を有する建物の該勾配屋根上に、該勾配屋根の上部から軒先部に向かって敷設する第１勾配屋根除雪シートと、該第１勾配屋根除雪シートと並列に該勾配屋根の該上部から該軒先部に向かって敷設する第２勾配屋根除雪シートと、からなる勾配屋根除雪シートと、
前記勾配屋根の対設するけらば部の下部それぞれに、前記第１勾配屋根除雪シート及び前記第２勾配屋根除雪シートを巻き取りロールにより巻き取り収納する収納部と、
前記巻き取りロールを回転させて前記勾配屋根除雪シートを巻き取るための駆動手段と、を備え、
前記第１勾配屋根除雪シートと第２勾配屋根除雪シートとは、ファスナーにより着脱自在に接続されていることを特徴とする屋根用除雪装置。
２．前記駆動手段はモータで駆動するものである１．に記載の屋根用除雪装置。
３．前記勾配屋根除雪シートの収納時において、前記けらば部の端縁部に前記勾配屋根除雪シートの一端を係止する係止手段を更に備える１．又は２．に記載の屋根用除雪装置。
４．前記勾配屋根除雪シートが、前記第１勾配屋根除雪シートと前記第２勾配屋根除雪シートの間に、更に第３勾配屋根除雪シートを備え、該第３勾配屋根除雪シートの一端側と該第１勾配屋根除雪シート、及び該第３勾配屋根除雪シートの他端側と該第２勾配屋根除雪シートとは、前記ファスナーにより着脱自在に接続されている１．乃至３．のうちのいずれか１項に記載の屋根用除雪装置。
５．前記第３勾配屋根除雪シートは、前記勾配屋根の前記上部から前期軒先部に向かって敷設された複数枚からなり、該第３勾配屋根除雪シート同士が前記ファスナーにより着脱自在に接続されている４．に記載の屋根用除雪装置。
６．前記勾配屋根の上部に形成された棟部に敷設する棟部用除雪シートを更に備え、且つ、該棟部用除雪シートの両側端側各々に、前記勾配屋根除雪シートを備え、該棟部用除雪シートの該両側端側と前記勾配屋根除雪シートの上端側とは、それぞれ前記ファスナーにより着脱自在に接続されている１．乃至５．のうちのいずれか１項に記載の屋根用除雪装置。
７．前記棟部用除雪シートの両側端各々に、更に前記勾配屋根除雪シートと接続する前記ファスナーを被覆する被覆片を備えた６．に記載の屋根用除雪装置。
８．前記ファスナーで接続される隣接した勾配屋根除雪シート同士のうちのいずれか一方に、更に該ファスナーを被覆する被覆片を備えた請求項１乃至７のうちのいずれか１項に記載の屋根用除雪装置。
９．前記被覆片の先端内面は、前記勾配屋根除雪シートの上面と、前記ファスナーを跨いで面ファスナーにより固定される請求項７又は８に記載の屋根用除雪装置。
【考案の効果】
【０００７】
１．本考案は、勾配屋根の上部から軒先部に向かって敷設する第１勾配屋根除雪シートと、該第１勾配屋根除雪シートと並列に該勾配屋根の該上部から該軒先部に向かって敷設する第２勾配屋根除雪シートとが、ファスナーにより着脱自在に接続されているため、簡易な構造により、屋根への着脱が容易である。また、勾配屋根の対設するけらば部の下部それぞれに、前記第１勾配屋根除雪シート及び前記第２勾配屋根除雪シートを巻き取りロールにより巻き取り収納する収納部と、巻き取りロールを回転させて前記勾配屋根除雪シートを巻き取るための駆動手段とを備えているため、簡易に収納可能である。
２．前記駆動手段がモータで駆動するものである場合には、除雪シートを巻き取り、収納することが容易となる。
３．前記勾配屋根除雪シートの収納時において、前記けらば部の端縁部に前記勾配屋根除雪シートの一端を係止する係止手段を更に備える場合には、除雪シートを収納に際して、確実に固定することができると共に、敷設する際にも便利である。
４．前記第１勾配屋根除雪シートと前記第２勾配屋根除雪シートの間に、更に第３勾配屋根除雪シートを備え、該第３勾配屋根除雪シートの一端側と該第１勾配屋根除雪シート、及び該第３勾配屋根除雪シートの他端側と該第２勾配屋根除雪シートとは、前記ファスナーにより着脱自在に接続されている場合には、棟部の長手方向に長い屋根の場合に３枚の除雪シートを簡易に接続して敷設することができる。
５．前記第３勾配屋根除雪シートは、前記勾配屋根の前記上部から前記軒先部に向かって敷設された複数枚からなり、該第３勾配屋根除雪シート同士が前記ファスナーにより着脱自在に接続されている場合には、棟部の長手方向に更に長い屋根の場合であっても、４枚以上の除雪シートを簡易に接続して敷設することができる。
６．前記勾配屋根の上部に形成された棟部に敷設する棟部用除雪シートを更に備え、且つ、該棟部用除雪シートの両側端側各々に、前記勾配屋根除雪シートを備え、該棟部用除雪シートの該両側端側と前記勾配屋根除雪シートの上端側とは、それぞれ前記ファスナーにより着脱自在に接続されていれば、棟部まで含めて除雪されると共に、棟部用除雪シートを容易に着脱することができる。更に、勾配屋根除雪シートを確実に屋根に敷設固定することができる。
７．前記棟部用除雪シートの両側端各々に、更に前記勾配屋根除雪シートと接続する前記ファスナーを被覆する被覆片を備えていれば、ファスナー上に直接積雪されるのを防ぐことができ、ファスナーが凍りついたり損傷したりするのを防ぐことができる。
８．前記ファスナーで接続される隣接した勾配屋根除雪シート同士のうちのいずれか一方に、更に該ファスナーを被覆する被覆片を備えている場合にも、ファスナー上に直接積雪されるのを防ぐことができ、ファスナーが凍りついたり損傷したりするのを防ぐことができる。
９．前記被覆片の先端内面は、前記勾配屋根除雪シートの上面と、前記ファスナーを跨いで面ファスナーにより固定されるように形成されていれば、確実に被覆片でファスナーを覆うことができる。
【図面の簡単な説明】
【０００８】
【図１】本考案の屋根用除雪装置に係り、勾配屋根除雪シートを屋根に敷設した例を示す斜視図である。
【図２】本考案の屋根用除雪装置に係り、勾配屋根除雪シートを屋根に敷設した例を示す側面図である。
【図３】本考案の屋根用除雪装置に係り、勾配屋根除除雪シートを収納した例を示す斜視図である。
【図４】本考案の屋根用除雪装置に係り、勾配屋根除除雪シートを収納した例を示す部分拡大斜視図である。
【図５】本考案の屋根用除雪装置に係り、勾配屋根除除雪シートをモータを利用して収納する構造の例を示す説明図である。
【図６】本考案の屋根用除雪装置に係り、勾配屋根除除雪シートを手動で収納する構造の例を示す説明図である。
【図７】本考案の屋根用除雪装置に係り、被覆片を備えた勾配屋根除雪シートを屋根に敷設した例を示す斜視図である。
【図８】（ａ）は図７におけるＢ−Ｂ断面図、（ｂ）は、図７におけるＡ−Ａ断面図である。
【考案を実施するための形態】
【０００９】
以下、図１〜６を参照しながら本考案を詳しく説明する。尚、本考案は、かかる図に記載された具体例に示すものに限られず、目的、用途に応じて種々変更したものとすることができる。
図１に示す屋根用除雪装置は本考案を具体化したものである。この屋根用除雪装置は、勾配屋根４５を有する建物の該勾配屋根４５上に、該勾配屋根４５の上部から軒先部６０に向かって敷設する第１勾配屋根除雪シート１０と、該第１勾配屋根除雪シート２０と並列に勾配屋根４５の上部から前記軒先部６０に向かって敷設する第２勾配屋根除雪シート２０と、からなる勾配屋根除雪シートと、前記勾配屋根４５の対設するけらば部６５の下部それぞれに、前記第１勾配屋根除雪シート１０及び前記第２勾配屋根除雪シート２０を巻き取りロール８４により巻き取り収納する収納部８０と、前記巻き取りロール８３を回転させて前記勾配屋根除雪シートを巻き取るための駆動手段と、を備え、前記第１勾配屋根除雪シート１０と第２勾配屋根除雪シート２０とは、ファスナー３０により着脱自在に接続されていることを特徴とする。
【００１０】
［１］勾配屋根除雪シート
前記「勾配屋根除雪シート」（以下「除雪シート」ともいう。）は、勾配屋根に敷設される除雪シートであり、積雪を自重で滑落させることができる除雪シートであれば、その材質には特に限定はないが、巻き取って収納することを考慮し、軟質シートであることが好ましい。例えば、軟質の塩化ビニル素材の除雪シートを用いることができる。
前記「勾配屋根」は、建物の屋根のうちの勾配を有する屋根であり、勾配屋根であれば、本考案の除雪シートを敷設することにより、積雪をその自重で滑落させることができる。
【００１１】
勾配屋根除雪シートは、例えば図１に示すように、勾配屋根４５の上部から軒先部６０に向かって敷設する第１勾配屋根除雪シート１０と、該第１勾配屋根除雪シート１０と並列に該勾配屋根４５の該上部から該軒先部６０に向かって敷設する第２勾配屋根除雪シート２０とからなることができる。
この「第１」、「第２」は説明の便宜上付したものであり、屋根の正面に向かって左右いずれを「第１」、「第２」としても差し支えない。
「敷設」は、図１に示すように、通常、屋根の略全体を除雪シートで覆うことを意味するが、屋根の一部を覆わない場合、一部のみ覆う場合も含む。
また、「勾配屋根除雪シート」というときは、複数枚の勾配屋根除雪シートからなる場合の他、１枚のみの単独の勾配屋根除雪シートの場合を含むものとする。
【００１２】
図示しないが、第１勾配屋根除雪シートと第２勾配屋根除雪シートの間に、更に第３勾配屋根除雪シートを備えることができる。
第３勾配屋根除雪シートの一端側と該第１勾配屋根除雪シート、及び該第３勾配屋根除雪シートの他端側と該第２勾配屋根除雪シートとは、前記ファスナーにより着脱自在に接続されている場合には、棟部の長手方向に長い屋根の場合に３枚の除雪シートを簡易に接続して敷設することができるので便利である。
更に、前記第３勾配屋根除雪シートは、前記勾配屋根の前記上部から前記軒先部に向かって敷設された複数枚からなることができ、更に長い屋根にも使用することができる。
そして、第３勾配屋根除雪シート同士が前記ファスナーにより着脱自在に接続されている場合には、棟部の長手方向に更に長い屋根の場合であっても、４枚以上の除雪シートを簡易に接続して敷設することができるため更に便利である。
【００１３】
［２］収納部
前記「収納部」は、勾配屋根の対設するけらば部の下部それぞれに、前記第１勾配屋根除雪シート及び前記第２勾配屋根除雪シートを巻き取りロールにより巻き取り収納する箇所である。「けらば部」とは、切妻屋根の妻側の端の部分のことである。
例えば図３に示す収納部８０は、けらば部６５の下部それぞれに、第１勾配屋根除雪シート１０及び第２勾配屋根除雪シート２０を巻き取りロールにより巻き取り収納する箇所である。更に具体的には、図４に示すように、勾配屋根のけらば部６５の下部に設けた取付板８１に取り付けた収納部材８３内部に除雪シート１０を巻き取り収納する。
【００１４】
ここで、勾配屋根除雪シート１０、２０の収納時において、けらば部６５の端縁部に勾配屋根除雪シート１０、２０の一端を係止する係止手段を更に備えることが好ましい。
例えば図４に示すように、除雪シート１０の端縁の孔１０ｈに、軟質の紐材８６を通して、係止具８７に固定する係止手段を備えることができる。こうすることで、除雪シート１０を勾配屋根４５に敷設する際、紐材８６を係止具８７から取り外して引き上げることによって、容易に敷設することができる。特に、急に降雪に見舞われたとき、直ちに
敷設できるため便利である。
【００１５】
［３］駆動手段
前記「駆動手段」は、前記巻き取りロールを回転させて前記除雪シートを巻き取るための手段である。巻き取りロールを回転させて除雪シートを巻き取ることができれば、その手段は特に限定はなく、電動式、手動式などで行うことができる。
例えば図５に示すように、巻き取りロール８２に軸着したプーリ８４をベルト９５でモータ９０の軸９３に軸着したプーリ９１を連結することにより、駆動することができる。
【００１６】
また、図６に示すように、巻き取りロールにウオーム８３を軸着し、ウオーム８３を駆動棹９６の先端に設けたウオームホイールによってウオームギヤを形成して、把手部９６ｂを手で回転させる。こうすることで、除雪シートを手動で巻き取る構造とすることができる。
【００１７】
［４］棟部用除雪シート
前記「棟部用除雪シート」は、前記勾配屋根の上部に形成された棟部に敷設する除雪シートである。
例えば図１に示すように、棟部用除雪シート５０は、勾配屋根４５の上部に形成された棟部４１に敷設される。
そして、棟部用除雪シートの両側端側各々に、勾配屋根除雪シート（第１勾配屋根除雪シート１０及び第２勾配屋根除雪シート２０）を備え、棟部用除雪シート５０の両側端側と勾配屋根除雪シートとは、それぞれファスナー３０により着脱自在に接続されている。
こうすることで、棟部４１まで含めて除雪されると共に、棟部用除雪シート５０と勾配屋根除雪シート１０、２０とをファスナーにより、容易に着脱することができる。更に、勾配屋根除雪シート１０、２０を確実に屋根に敷設固定することができる。
【００１８】
［５］被覆片
前記「被覆片」は、前記棟部用除雪シートの両側端各々に備えた、前記勾配屋根除雪シートと接続する前記ファスナーを被覆する部材である。
例えば、図７に示すように、被覆片５１は、棟部用除雪シート５０の両側端各々に、勾配屋根除雪シート１０、２０と接続するファスナー３０を被覆する部材である。被覆片５１により、ファスナー３０上に直接積雪されるのを防ぐことができ、ファスナー３０が凍りついたり損傷したりするのを防ぐことができる。
【００１９】
更に、図７、図８（ｂ）に示すように、被覆片５１の先端内面は、前記勾配屋根除雪シート１０、２０の上面と、前記ファスナー３０を跨いで、面ファスナー５１ａ、１０ａ、２０ａにより固定されることが好ましい。こうすることで、確実に被覆片５１でファスナー３０を被覆することができる。
【００２０】
また、前記「被覆片」は、前記ファスナーで接続される隣接した勾配屋根除雪シート同士のうちのいずれか一方に備えた、該ファスナーを被覆する部材でもある。
即ち、図７に示すように、被覆片２１は、ファスナー３０で接続される隣接した勾配屋根除雪シート１０、２０同士のうちの勾配屋根除雪シート２０に、ファスナー３０を覆うように備えられている。
【００２１】
更に、図７、図８（ａ）に示すように、前記被覆片２１の先端内面は、前記勾配屋根除雪シート１０の上面と、前記ファスナー３０を跨いで面ファスナー２１ａ、１０ｂにより固定されることが好ましい。
被覆片２１及び面ファスナー２１ａ、１０ｂの効果については被覆片５１及び面ファスナー５１ａ、２０ａと同様であるため、その説明を省略する。
【符号の説明】
【００２２】
１０；第１勾配屋根除雪シート、２０；第２勾配屋根除雪シート、２１、５１；被覆片、１０ａ、１０ｂ、２０ａ、２１ａ、５１ａ；面ファスナー、３０；ファスナー、４１；棟部、４５；勾配屋根、５０；棟部用除雪シート、６０；軒先部、６５；けらば部、８０；収納部、８２；巻き取りロール、９０；モータ
【図１】
0003166370.tif 000003
【図２】
0003166370.tif 000004
【図３】
0003166370.tif 000005
【図４】
0003166370.tif 000006
【図５】
0003166370.tif 000007
【図６】
0003166370.tif 000008
【図７】
0003166370.tif 000009
【図８】
0003166370.tif 000010